(57)【要約】【課題】水平面内３６０度の方向において無指向性を有し、一層の小型化を図ることができ、しかも、簡素な構造を有するスロットアンテナを提供する。【解決手段】スロットアンテナは、底面部１３と、該底面部１３の周縁から上方に延びる側面部１１から成るアンテナ本体部１０を有し、該側面部１１には、同一長さを有する複数のスロット１２が形成され、底面部１３の略中心を通り、底面部１３に垂直な軸線（Ｌ）上に、スロット結合部２２が設けられている。【選択図】　図３
2004140448.tif 000002
【特許請求の範囲】
【請求項１】
底面部と、該底面部の周縁から上方に延びる側面部から成るアンテナ本体部を有し、
該側面部には、同一長さを有する複数のスロットが形成され、
底面部の略中心を通り、底面部に垂直な軸線上に、スロット結合部が設けられていることを特徴とするスロットアンテナ。
【請求項２】
前記スロット結合部は、前記軸線上を延び、底面部とは絶縁されたピンから成り、側面部は該ピンを取り囲んでいることを特徴とする請求項１に記載のスロットアンテナ。
【請求項３】
底面部に取り付けられ、若しくは、底面部と一体に設けられた導波管を更に有し、
前記スロット結合部は、前記軸線上に位置する導波管の部分に設けられた結合開口部から成ることを特徴とする請求項１に記載のスロットアンテナ。
【請求項４】
前記軸線に対して垂直な仮想平面で側面部を任意の位置で切断したときの側面部の断面形状は、同一形状の円形であることを特徴とする請求項１乃至請求項３のいずれか１項に記載のスロットアンテナ。
【請求項５】
前記軸線に対して垂直な仮想平面で側面部を任意の位置で切断したときの側面部の断面形状は、同一形状の正多角形であることを特徴とする請求項１乃至請求項３のいずれか１項に記載のスロットアンテナ。
【請求項６】
前記軸線に対して垂直な仮想平面で側面部を任意の位置で切断したときの側面部の断面形状は、底面部から離れるに従い小さくなる円形であることを特徴とする請求項１乃至請求項３のいずれか１項に記載のスロットアンテナ。
【請求項７】
前記軸線に対して垂直な仮想平面で側面部を任意の位置で切断したときの側面部の断面形状は、底面部から離れるに従い小さくなる正多角形であることを特徴とする請求項１乃至請求項３のいずれか１項に記載のスロットアンテナ。
【請求項８】
側面部は、球の一部を構成する形状を有することを特徴とする請求項１乃至請求項３のいずれか１項に記載のスロットアンテナ。
【請求項９】
前記軸線に対するスロットの傾斜角をθとしたとき、０度＜θ＜９０度であることを特徴とする請求項１乃至請求項８のいずれか１項に記載のスロットアンテナ。
【請求項１０】
前記軸線に対するスロットの傾斜角をθとしたとき、θ＝０度であることを特徴とする請求項１乃至請求項８のいずれか１項に記載のスロットアンテナ。
【請求項１１】
前記軸線に対するスロットの傾斜角をθとしたとき、θ＝９０度であることを特徴とする請求項１乃至請求項８のいずれか１項に記載のスロットアンテナ。
【請求項１２】
スロットは、略１／２λの長さを有することを特徴とする請求項１乃至請求項１１のいずれか１項に記載のスロットアンテナ。
【請求項１３】
底面部と側面部によって囲まれた空間には誘電体部材が配されていることを特徴とする請求項１乃至請求項１１のいずれか１項に記載のスロットアンテナ。
【請求項１４】
誘電体部材を構成する誘電体材料の比誘電率をεとしたとき、スロットは、略（１／２λ）×（１＋ε）−１／２の長さを有することを特徴とする請求項１３に記載のスロットアンテナ。
【請求項１５】
側面部の上端は上面板によって閉鎖されていることを特徴とする請求項１乃至請求項１４のいずれか１項に記載のスロットアンテナ。
【請求項１６】
上面板には、複数の第２のスロットが形成されていることを特徴とする請求項１５に記載のスロットアンテナ。
【請求項１７】
（Ａ）平坦な頂面を有するシェル部、及び、シェル部の内部に絶縁体を介して固定され、シェル部の頂面の中心部から突出した中心コンタクト部を有するコネクター、及び、
（Ｂ）シェル部の頂面に固定され、シェル部の頂面から上方に延び、中心コンタクト部を取り囲む中空環状のアンテナ本体部、
から成り、
アンテナ本体部には、同一長さを有する複数のスロットが形成されていることを特徴とするスロットアンテナ。
【請求項１８】
中心コンタクト部を通る軸線に対して垂直な仮想平面でアンテナ本体部を任意の位置で切断したときのアンテナ本体部の断面形状は、同一形状の円形であることを特徴とする請求項１７に記載のスロットアンテナ。
【請求項１９】
中心コンタクト部を通る軸線に対して垂直な仮想平面でアンテナ本体部を任意の位置で切断したときのアンテナ本体部の断面形状は、同一形状の正多角形であることを特徴とする請求項１７に記載のスロットアンテナ。
【請求項２０】
中心コンタクト部を通る軸線に対して垂直な仮想平面でアンテナ本体部を任意の位置で切断したときのアンテナ本体部の断面形状は、シェル部の頂面から離れるに従い小さくなる円形であることを特徴とする請求項１７に記載のスロットアンテナ。
【請求項２１】
中心コンタクト部を通る軸線に対して垂直な仮想平面でアンテナ本体部を任意の位置で切断したときのアンテナ本体部の断面形状は、シェル部の頂面から離れるに従い小さくなる正多角形であることを特徴とする請求項１７に記載のスロットアンテナ。
【請求項２２】
アンテナ本体部は、球の一部を構成する形状を有することを特徴とする請求項１７に記載のスロットアンテナ。
【請求項２３】
中心コンタクト部を通る軸線に対するスロットの傾斜角をθとしたとき、０度＜θ＜９０度であることを特徴とする請求項１７乃至請求項２２のいずれか１項に記載のスロットアンテナ。
【請求項２４】
中心コンタクト部を通る軸線に対するスロットの傾斜角をθとしたとき、θ＝０度であることを特徴とする請求項１７乃至請求項２２のいずれか１項に記載のスロットアンテナ。
【請求項２５】
中心コンタクト部を通る軸線に対するスロットの傾斜角をθとしたとき、θ＝９０度であることを特徴とする請求項１７乃至請求項２２のいずれか１項に記載のスロットアンテナ。
【請求項２６】
スロットは、略１／２λの長さを有することを特徴とする請求項１７乃至請求項２５のいずれか１項に記載のスロットアンテナ。
【請求項２７】
アンテナ本体部によって囲まれた空間には誘電体部材が配されていることを特徴とする請求項１７乃至請求項２５のいずれか１項に記載のスロットアンテナ。
【請求項２８】
誘電体部材を構成する誘電体材料の比誘電率をεとしたとき、スロットは、略（１／２λ）×（１＋ε）−１／２の長さを有することを特徴とする請求項２７に記載のスロットアンテナ。
【請求項２９】
アンテナ本体部の上端は上面板によって閉鎖されていることを特徴とする請求項１７乃至請求項２８のいずれか１項に記載のスロットアンテナ。
【請求項３０】
上面板には、複数の第２のスロットが形成されていることを特徴とする請求項２９に記載のスロットアンテナ。
【請求項３１】
（Ａ）底面と、頂面と、該底面の周縁から該頂面の周縁へと延びる側面を有し、誘電体材料から構成されたアンテナ本体部、及び、
（Ｂ）アンテナ本体部の少なくとも側面に形成された導電体層、
から成り、
アンテナ本体部の側面に形成された導電体層の部分には、同一長さを有する複数のスロットが形成され、
アンテナ本体部の底面の略中心を通り、底面に垂直な軸線上に、スロット結合部が設けられていることを特徴とするスロットアンテナ。
【請求項３２】
アンテナ本体部の底面から前記軸線上を延びる孔部がアンテナ本体部に形成されており、
前記スロット結合部は、該孔部内を上方に延び、アンテナ本体部の側面に形成された導電体層の部分とは離間した第２の導電体層から成ることを特徴とする請求項３１に記載のスロットアンテナ。
【請求項３３】
アンテナ本体部の底面から前記軸線上を延びる孔部がアンテナ本体部に形成されており、
前記スロット結合部は、該孔部内を上方に延びるピンから成ることを特徴とする請求項３１に記載のスロットアンテナ。
【請求項３４】
アンテナ本体部の底面に取り付けられた導波管を更に有し、
前記スロット結合部は、前記軸線上に位置する導波管の部分に設けられた結合開口部から成ることを特徴とする請求項３１に記載のスロットアンテナ。
【請求項３５】
前記軸線に対して垂直な仮想平面でアンテナ本体部を任意の位置で切断したときのアンテナ本体部の外形断面形状は、同一形状の円形であることを特徴とする請求項３１乃至請求項３４のいずれか１項に記載のスロットアンテナ。
【請求項３６】
前記軸線に対して垂直な仮想平面でアンテナ本体部を任意の位置で切断したときのアンテナ本体部の外形断面形状は、同一形状の正多角形であることを特徴とする請求項３１乃至請求項３４のいずれか１項に記載のスロットアンテナ。
【請求項３７】
前記軸線に対して垂直な仮想平面でアンテナ本体部を任意の位置で切断したときのアンテナ本体部の外形断面形状は、アンテナ本体部の底面から離れるに従い小さくなる円形であることを特徴とする請求項３１乃至請求項３４のいずれか１項に記載のスロットアンテナ。
【請求項３８】
前記軸線に対して垂直な仮想平面でアンテナ本体部を任意の位置で切断したときのアンテナ本体部の外形断面形状は、アンテナ本体部の底面から離れるに従い小さくなる正多角形であることを特徴とする請求項３１乃至請求項３４のいずれか１項に記載のスロットアンテナ。
【請求項３９】
アンテナ本体部の側面は、球の一部を構成する形状を有することを特徴とする請求項３１乃至請求項３４のいずれか１項に記載のスロットアンテナ。
【請求項４０】
前記軸線に対するスロットの傾斜角をθとしたとき、０度＜θ＜９０度であることを特徴とする請求項３１乃至請求項３９のいずれか１項に記載のスロットアンテナ。
【請求項４１】
前記軸線に対するスロットの傾斜角をθとしたとき、θ＝０度であることを特徴とする請求項３１乃至請求項３９のいずれか１項に記載のスロットアンテナ。
【請求項４２】
前記軸線に対するスロットの傾斜角をθとしたとき、θ＝９０度であることを特徴とする請求項３１乃至請求項３９のいずれか１項に記載のスロットアンテナ。
【請求項４３】
誘電体材料の比誘電率をεとしたとき、スロットは、略（１／２λ）×（１＋ε）−１／２の長さを有することを特徴とする請求項３１乃至請求項４２のいずれか１項に記載のスロットアンテナ。
【請求項４４】
アンテナ本体部の頂面にも導電体層が形成され、
頂面に形成された導電体層の部分には、複数の第２のスロットが形成されていることを特徴とする請求項３１乃至請求項４３のいずれか１項に記載のスロットアンテナ。
【発明の詳細な説明】
【０００１】
【発明の属する技術分野】
本発明は、スロットアンテナに関し、より具体的には、水平面内３６０度の方向において無指向性を有するスロットアンテナに関する。
【０００２】
【従来の技術】
移動体通信の基地局や無線ＬＡＮにおいては、無指向性のアンテナが使用されている。このような無指向性のアンテナの一種である同軸スロットアンテナが、例えば、特開平３−４１８０４あるいは特開２００１−１８５９４４から公知である。特開平３−４１８０４に開示された同軸スロットアンテナは、同軸給電線と、同軸給電線を取り囲む外部導体から構成され、外部導体にスロットが形成されている。また、特開２００１−１８５９４４に開示された同軸スロットアンテナは、同軸線路と、同軸線路を取り囲む中空導体パイプから構成され、中空導体パイプにスロットが形成されている。
【０００３】
【特許文献１】特開平３−４１８０４号公報
【特許文献２】特開２００１−１８５９４４
【０００４】
【発明が解決しようとする課題】
特開平３−４１８０４号公報に開示されたアンテナにおいては、同軸ケーブルを用いているので一層の小型が困難である。また、特開２００１−１８５９４４に開示されたアンテナにおいても、同軸ケーブルを用いているので一層の小型が困難であるし、同軸ケーブルを中空導体パイプによって取り囲んでいるので、構造の簡素化を図ることが困難である。
【０００５】
従って、本発明の目的は、一層の小型化を図ることができ、しかも、簡素な構造を有するスロットアンテナを提供することにある。
【０００６】
【課題を解決するための手段】
上記の目的を達成するための本発明の第１の態様に係るスロットアンテナは、底面部と、該底面部の周縁から上方に延びる側面部から成るアンテナ本体部を有し、
該側面部には、同一長さを有する複数のスロットが形成され、
底面部の略中心を通り、底面部に垂直な軸線上に、スロット結合部が設けられていることを特徴とする。
【０００７】
本発明の第１の態様に係るスロットアンテナにおいて、前記スロット結合部は、前記軸線上を延び、底面部とは絶縁されたピンから成り、側面部は該ピンを取り囲んでいる構成とすることができる。あるいは又、底面部に取り付けられ、若しくは、底面部と一体に設けられた導波管を更に有し、前記スロット結合部は、前記軸線上に位置する導波管の部分に設けられた結合開口部から成る構成とすることができる。尚、前記軸線上に位置する底面部の部分に、導波管の部分に設けられた結合開口部に対向して結合開口部を設けてもよいし、前記軸線上に位置する底面部の部分に、導波管の部分に設けられた結合開口部に対向して、導波管の部分に設けられた結合開口部よりも大きな孔部を設けてもよい。
【０００８】
本発明の第１の態様に係るスロットアンテナにおいて、上述のとおり、スロット結合部をピンから構成する場合、例えば、プリント配線板にピンを立て、底面部をプリント配線板に固定することで、スロットアンテナをプリント配線板から構成されたアンテナ給電手段に取り付けることができる。即ち、面実装が可能である。あるいは又、平坦な頂面を有するシェル部、及び、シェル部の内部に絶縁体を介して固定され、シェル部の頂面の中心部から突出した中心コンタクト部を有するコネクターにスロットアンテナを取り付けることもできる。具体的には、シェル部の平坦な頂面に底面部を固定し、中心コンタクト部をピンとして機能させればよい。一方、上述のとおり、導波管を有する場合、導波管を適切な方法でアンテナ給電手段に取り付ければよい。
【０００９】
上記の各種の形態を含む本発明の第１の態様に係るスロットアンテナにおいては、前記軸線に対して垂直な仮想平面で側面部を任意の位置で切断したときの側面部の断面形状を、同一形状の円形若しくは正多角形（頂点が丸みを帯びた正多角形を含む）とすることができる。即ち、側面部の形状を円筒形若しくは正多角筒形とすることができる。あるいは又、前記軸線に対して垂直な仮想平面で側面部を任意の位置で切断したときの側面部の断面形状を、底面部から離れるに従い小さくなる円形若しくは正多角形（頂点が丸みを帯びた正多角形を含む）とすることができる。即ち、側面部の形状を円錐形若しくは正多角錐形とすることができる。尚、円形若しくは正多角形の形状が、底面部から離れるに従い小さくなる割合は一定であってもよいし（即ち、前記軸線を含む仮想平面で側面部を切断したとき、１つの線分を示すことを意味する）、割合が一定でなくともよい（即ち、前記軸線を含む仮想平面で側面部を切断したとき、曲線、複数の線分、曲線と線分の組合せを示すことを意味する）。あるいは又、側面部は、球の一部を構成する形状を有する形態とすることもできる。
【００１０】
上記の目的を達成するための本発明の第２の態様に係るスロットアンテナは、（Ａ）平坦な頂面を有するシェル部、及び、シェル部の内部に絶縁体を介して固定され、シェル部の頂面の中心部から突出した中心コンタクト部を有するコネクター、及び、
（Ｂ）シェル部の頂面に固定され、シェル部の頂面から上方に延び、中心コンタクト部を取り囲む中空環状のアンテナ本体部、
から成り、
アンテナ本体部には、同一長さを有する複数のスロットが形成されていることを特徴とする。
【００１１】
尚、本発明の第２の態様に係るスロットアンテナにおいては、シェル部の頂面の中心部から突出した中心コンタクト部がスロット結合部として機能する。中心コンタクト部を通る軸線は、アンテナ本体部の中心部を延びている。
【００１２】
本発明の第２の態様に係るスロットアンテナにおいては、中心コンタクト部を通る軸線に対して垂直な仮想平面でアンテナ本体部を任意の位置で切断したときのアンテナ本体部の断面形状を、同一形状の円形若しくは正多角形（頂点が丸みを帯びた正多角形を含む）とすることができる。即ち、アンテナ本体部の形状を円筒形若しくは正多角筒形とすることができる。あるいは又、中心コンタクト部を通る軸線に対して垂直な仮想平面でアンテナ本体部を任意の位置で切断したときのアンテナ本体部の断面形状を、シェル部の頂面から離れるに従い小さくなる円形若しくは正多角形（頂点が丸みを帯びた正多角形を含む）とすることができる。即ち、側面部の形状を円錐形若しくは正多角錐形とすることができる。尚、円形若しくは正多角形の形状が、シェル部の頂面から離れるに従い小さくなる割合は一定であってもよいし（即ち、中心コンタクト部を通る軸線を含む仮想平面でアンテナ本体部を切断したとき、１つの線分を示すことを意味する）、割合が一定でなくともよい（即ち、中心コンタクト部を通る軸線を含む仮想平面でアンテナ本体部を切断したとき、曲線、複数の線分、曲線と線分の組合せを示すことを意味する）。あるいは又、アンテナ本体部は、球の一部を構成する形状を有する形態とすることもできる。
【００１３】
上記の目的を達成するための本発明の第３の態様に係るスロットアンテナは、（Ａ）底面と、頂面と、該底面の周縁から該頂面の周縁へと延びる側面を有し、誘電体材料から構成されたアンテナ本体部、及び、
（Ｂ）アンテナ本体部の少なくとも側面に形成された導電体層、
から成り、
アンテナ本体部の側面に形成された導電体層の部分には、同一長さを有する複数のスロットが形成され、
アンテナ本体部の底面の略中心を通り、底面に垂直な軸線上に、スロット結合部が設けられていることを特徴とする。
【００１４】
本発明の第３の態様に係るスロットアンテナにおいては、アンテナ本体部の底面から前記軸線上を延びる孔部がアンテナ本体部に形成されており、前記スロット結合部は、該孔部内を上方に延び、アンテナ本体部の側面に形成された導電体層の部分とは離間した第２の導電体層から成る構成とすることができる。あるいは又、アンテナ本体部の底面から前記軸線上を延びる孔部がアンテナ本体部に形成されており、前記スロット結合部は、該孔部内を上方に延びるピンから成る構成とすることができる。あるいは又、アンテナ本体部の底面に取り付けられた導波管を更に有し、前記スロット結合部は、前記軸線上に位置する導波管の部分に設けられた結合開口部から成る構成とすることができる。尚、底面にも導電体層を形成し、前記軸線上に位置する底面の部分の導電体層に、導波管の部分に設けられた結合開口部に対向して結合開口部を設けてもよいし、前記軸線上に位置する底面の部分の導電体層に、導波管の部分に設けられた結合開口部に対向して、導波管の部分に設けられた結合開口部よりも大きな孔部を設けてもよい。
【００１５】
本発明の第３の態様に係るスロットアンテナにおいて、上述のとおり、スロット結合部をピンから構成する場合、例えば、孔部内にピンを挿入しておき、このピンをプリント配線板に固定することで、あるいは又、プリント配線板にピンを立て、底面をプリント配線板に固定することで、スロットアンテナをプリント配線板から構成されたアンテナ給電手段に取り付けることができる。即ち、これらの構成を採用することで面実装が可能となる。あるいは又、平坦な頂面を有するシェル部、及び、シェル部の内部に絶縁体を介して固定され、シェル部の頂面の中心部から突出した中心コンタクト部を有するコネクターにスロットアンテナを取り付けることもできる。具体的には、シェル部の平坦な頂面に底面を固定し、中心コンタクト部をピンとして機能させればよい。一方、上述のとおり、導波管を有する場合、導波管を適切な方法でアンテナ給電手段に取り付ければよい。
【００１６】
上記の各種の形態を含む本発明の第３の態様に係るスロットアンテナにおいては、前記軸線に対して垂直な仮想平面でアンテナ本体部を任意の位置で切断したときのアンテナ本体部の外形断面形状を、同一形状の円形若しくは正多角形（頂点が丸みを帯びた正多角形を含む）とすることができる。即ち、アンテナ本体部の形状を円柱形若しくは正多角柱形とすることができる。あるいは又、前記軸線に対して垂直な仮想平面でアンテナ本体部を任意の位置で切断したときのアンテナ本体部の外形断面形状を、アンテナ本体部の底面から離れるに従い小さくなる円形若しくは正多角形（頂点が丸みを帯びた正多角形を含む）とすることができる。即ち、アンテナ本体部の形状を円錐形若しくは正多角錐形とすることができる。尚、円形若しくは正多角形の形状が、アンテナ本体部の底面から離れるに従い小さくなる割合は一定であってもよいし（即ち、前記軸線を含む仮想平面でアンテナ本体部を切断したとき、アンテナ本体部の外形線が１つの線分を示すことを意味する）、割合が一定でなくともよい（即ち、前記軸線を含む仮想平面でアンテナ本体部を切断したとき、アンテナ本体部の外形線が、曲線、複数の線分、曲線と線分の組合せを示すことを意味する）。あるいは又、アンテナ本体部は、球の一部を構成する形状を有する形態とすることもできる。
【００１７】
上記の各種の形態を含む本発明の第１の態様〜第３の態様に係るスロットアンテナにおいては、前記軸線、あるいは、中心コンタクト部を通る軸線に対するスロットの傾斜角をθとしたとき、０度＜θ＜９０度である構成とすることができるし、あるいは又、θ＝０度である構成とすることができるし、あるいは又、θ＝９０度である構成とすることができる。このようにθを変えることで、電波の偏波状態、位相、振幅を変えることができる。例えば、θ＝０度とすれば水平波を得ることができるし、θ＝９０度とすれば垂直波を得ることができる。ここで、角度θは、軸線、あるいは、中心コンタクト部を通る軸線を含む仮想平面にスロットを射影した得られた射影像の延びる方向と、軸線の成す角度を意味する。
【００１８】
上記の各種形態を含む本発明の第１の態様若しくは第２の態様に係るスロットアンテナにおいて、スロットは略１／２λの長さを有することが好ましい。ここで、λはスロットアンテナが射出する電波の波長、あるいはスロットアンテナに入射する電波の波長である。以下においても同様である。
【００１９】
あるいは又、上記の各種形態を含む本発明の第１の態様若しくは第２の態様に係るスロットアンテナにおいて、底面部と側面部によって囲まれた空間、若しくは、アンテナ本体部によって囲まれた空間には、誘電体部材が配されている構成とすることができる。この空間に誘電体部材を配することによって、スロットの長さを短縮することができるので、スロットアンテナの一層の小型化を図ることができるし、グレーディング・ローブの発生を抑制することができる。尚、誘電体部材を構成する誘電体材料の比誘電率をεとしたとき、スロットは、略（１／２λ）×（１＋ε）−１／２の長さを有することが好ましい。
【００２０】
上記の各種形態を含む本発明の第１の態様若しくは第２の態様に係るスロットアンテナにおいては、側面部の上端、若しくは、アンテナ本体部の上端は、上面板によって閉鎖されている構成とすることが好ましい。そして、この場合、上面板には、複数の第２のスロットが形成されている構成とすることができる。上面板によって閉鎖することで、スロットアンテナの利得の増加を図ることができるし、上面板に複数の第２のスロットを形成することで、垂直方向への指向性を得ることができる。ここで、第２のスロットは、略１／２λの長さを有することが好ましい。また、誘電体部材が配されている場合には、第２のスロットは、略（１／２λ）×（１＋ε）−１／２の長さを有することが好ましい。尚、上面板には略１／２λの長さ未満の穴が形成されていてもよく、このような構成にしても上面板から電波が射出されることは無い。
【００２１】
上記の各種形態を含む本発明の第３の態様に係るスロットアンテナにおいては、誘電体材料の比誘電率をεとしたとき、スロットは、略（１／２λ）×（１＋ε）−１／２の長さを有することが好ましい。また、アンテナ本体部の頂面にも導電体層が形成されていることが好ましく、更には、頂面に形成された導電体層の部分には複数の第２のスロットが形成されている構成とすることが一層好ましく、これによって、垂直方向への指向性を得ることができる。ここで、第２のスロットは、略（１／２λ）×（１＋ε）−１／２の長さを有することが好ましい。
【００２２】
誘電体材料として、Ａｌ２Ｏ３で代表されるセラミックスや、ポリテトラフルオロエチレンといったフッ素樹脂で代表される各種の高分子材料、プラスチックスを用いればよい。
【００２３】
本発明の第１の態様若しくは第２の態様に係るスロットアンテナを構成するアンテナ本体部は、例えば、銅、真鍮、アルミニウムといった金属や、各種の合金から作製すればよい。
【００２４】
本発明の第３の態様に係るスロットアンテナにおいては、導電体層をメッキ法、印刷法、各種の物理的気相成長法（ＰＶＤ法）、各種の化学的気相成長法（ＣＶＤ法）にて形成することができる。導電体層を構成する材料として、ニッケル、クロム、銅、金、銀、白金、あるいは、これらの金属を含む各種の合金を例示することができる。
【００２５】
本発明の第１の態様〜第３の態様に係るスロットアンテナは、例えば、ＩＴＳ（高度道路交通システム）やＤＳＲＣ（狭域通信）等における移動体通信、例えば２．４ＧＨｚ、５．２ＧＨｚ、２６．５ＧＨｚの電波を使用した無線ＬＡＮ、その他、無指向性を要求されるマイクロ波やミリ波帯のアンテナとして、使用することができる。
【００２６】
本発明の第１の態様に係るスロットアンテナは、底面部と側面部とが一体となったアンテナ本体部を有し、側面部に同一長さを有する複数のスロットが形成され、底面部の略中心を通り、底面部に垂直な軸線上に、スロット結合部が設けられているので、簡素な構造であり、しかも、一層の小型化を図ることができる。
【００２７】
本発明の第２の態様に係るスロットアンテナは、コネクター、及び、コネクターのシェル部の頂面に固定されたアンテナ本体部から成り、アンテナ本体部に同一長さを有する複数のスロットが形成されているので、簡素な構造であり、しかも、一層の小型化を図ることができるし、アンテナ給電手段へのスロットアンテナの取り付けを容易に行うことができる。
【００２８】
本発明の第３の態様に係るスロットアンテナは、誘電体材料から構成されたアンテナ本体部と、アンテナ本体部の少なくとも側面に形成された導電体層とから成り、アンテナ本体部の側面に形成された導電体層の部分に同一長さを有する複数のスロットが形成され、アンテナ本体部の底面の略中心を通り、底面に垂直な軸線上に、スロット結合部が設けられているので、簡素な構造であり、しかも、一層の小型化を図ることができる。
【００２９】
【実施例】
以下、図面を参照して、実施例に基づき本発明を説明する。
【００３０】
（実施例１）
実施例１は、本発明の第１の態様に係るスロットアンテナに関する。実施例１のスロットアンテナの模式的な側面図を図１の（Ａ）に示し、模式的な底面図を図１の（Ｂ）に示す。また、アンテナ本体部及びピンを構成するＳＭＡコネクター（レセプタクルとも呼ばれる）の模式的な断面図を図２に示し、アンテナ本体部をＳＭＡコネクターに取り付け、スロットアンテナを完成させたときの模式的な断面図を図３に示す。
【００３１】
このスロットアンテナは、底面部１３と、この底面部１３の周縁から上方に延びる中空環状の側面部１１から成るアンテナ本体部１０を有する。アンテナ本体部１０は、真鍮を周知の各種の機械加工を行うことで作製されている。そして、側面部１１には、同一長さを有する複数のスロット１２が形成されている。また、底面部１３の略中心を通り、底面部１３に垂直な軸線（Ｌ）上に、スロット結合部が設けられている。実施例１にあっては、このスロット結合部は、軸線（Ｌ）上を延び、底面部１３とは絶縁されたピン２２から成り、側面部１１はこのピン２２を取り囲んでいる。より具体的には、平坦な頂面２１Ａを有するシェル部２１、及び、シェル部２１の内部に絶縁体２３を介して固定され、シェル部２１の頂面２１Ａの中心部から突出した中心コンタクト部を有するＳＭＡコネクター２０における中心コンタクト部が、ピン２２に相当する。中心コンタクト部（ピン２２）は、側面部１１によって囲まれた空間内であって、底面部１３の略中心を通り、底面部１３に垂直な軸線（Ｌ）上を延びている。スロットアンテナは、その底面部１３においてＳＭＡコネクター２０を構成するシェル部２１の頂面２１Ａに、例えば、ハンダ付けにて固定されている。底面部１３の中央部には貫通孔１４が設けられ、ピン２２が底面部１３と接触しない構造となっている。尚、ＳＭＡコネクター２０には、給電線（図示せず）が取り付けられている。
【００３２】
実施例１においては、軸線（Ｌ）に対して垂直な仮想平面で側面部１１を任意の位置で切断したときの側面部１１の断面形状は、同一形状の円形である。即ち、側面部１１の形状は円筒形である。また、軸線（Ｌ）に対するスロット１２の傾斜角をθとしたとき、θ＝９０度であり、垂直波を得ることができる。尚、スロット１２は、略１／２λの長さを有する。具体的には、射出する電波の周波数を５．２ＧＨｚ（λ＝約５７．７ｍｍ）としたので、スロット１２の長さは２８．８５ｍｍである。また、スロット１２の幅を２ｍｍとし、スロット１２の個数を２とした。更には、側面部１１の直径を２０ｍｍ、高さを１３ｍｍとした。実施例１にあっては、側面部１１の上端は上面板１５によって閉鎖されている。尚、上面板１５は、必ずしも設けなくともよい。
【００３３】
（実施例２）
実施例２は実施例１の変形である。実施例２にあってもスロット結合部はピンから構成されている。図４に模式的な一部断面図を示すように、実施例１と異なり、プリント配線板３０にピン３２を立て、アンテナ本体部１０を構成する底面部１３をプリント配線板３０に固定することで、スロットアンテナはプリント配線板３０から構成されたアンテナ給電手段に取り付けられている。具体的には、アンテナ本体部１０を構成する底面部１３は、ハンダリフロー法にて、プリント配線板３０に設けられ、パターニングされた銅箔（回路）３３上に固定されている。尚、参照番号３１は、プリント配線板３０を構成する絶縁材料から成る基材である。実施例２にあっては、場合によっては、底面部１３を省略することができるし、上面板１５は必ずしも設けなくともよい。
【００３４】
（実施例３）
実施例３も実施例１の変形である。実施例３におけるアンテナ本体部の模式的な底面図を図５の（Ａ）に示し、導波管の模式的な斜視図を図５の（Ｂ）に示す。
【００３５】
実施例３におけるスロットアンテナは、アンテナ本体部１０の底面部１３に取り付けられた導波管４０を更に有し、スロット結合部は、軸線（Ｌ）上に位置する底面部１３の部分及び導波管４０の部分のそれぞれに設けられた結合開口部１７，４１から成る。軸線（Ｌ）上に位置する底面部１３の部分に設けられた結合開口部１７と、導波管４０の部分に設けられた結合開口部４１との位置合わせをして、底面部１３と導波管４０とを、例えばハンダ付けすることで、アンテナ本体部１０を導波管４０に取り付けることができる。導波管４０は、適切な方法でアンテナ給電手段に取り付ければよい。
【００３６】
尚、導波管４０を、底面部１３と一体に、底面部１３から延在するように設けてもよい。また、底面部１３の部分に結合開口部を設けず、軸線（Ｌ）上に位置する底面部の部分に、導波管の部分に設けられた結合開口部に対向して、導波管の部分に設けられた結合開口部よりも大きな孔部を設けてもよい。実施例３にあっては、場合によっては、底面部１３を省略することができる。
【００３７】
（実施例４）
実施例１〜実施例３にあっては、軸線（Ｌ）に対するスロット１２の傾斜角をθとしたとき、θ＝９０度としたが、θはこのような値に限定されない。０度＜θ＜９０度とし、２つのスロット１２Ａ，１２Ａ’を対とし、一方のスロット１２Ａの一方の傾斜角をθ、他方のスロット１２Ａ’の傾斜角を−θすることによって、例えば、円偏波状態を得ることができる。このような構成におけるスロット１２Ａ，１２Ａ’が形成された側面部１１Ａから構成されたアンテナ本体部１０Ａの模式的な側面図を、図６の（Ａ）に示す。また、θ＝０度とすれば水平波を得ることができる。このような構成におけるスロット１２Ｂが形成された側面部１１Ｂから構成されたアンテナ本体部１０Ｂの模式的な側面図を、図６の（Ｂ）に示す。
【００３８】
（実施例５）
実施例５も実施例１の変形である。実施例５においては、模式的な断面図を図７に示すように、アンテナ本体部１０Ｃの内部空間に収まる誘電体部材１８を、Ａｌ２Ｏ３を焼結することで作製し、この誘電体部材１８をアンテナ本体部１０Ｃの内部空間に収納した。尚、実施例１と異なり、側面部１１の上端は上面板１５によって閉鎖されてていない。即ち、誘電体部材１８が剥き出しの状態にある。
【００３９】
尚、誘電体部材１８を構成する誘電体材料の比誘電率をεとしたとき、スロット１１２は、略（１／２λ）×（１＋ε）−１／２の長さを有する。
【００４０】
θ＝９０度とし、側面部１１の形状を円筒形とし、射出する電波の周波数を５．２ＧＨｚ（λ＝約５７．７ｍｍ）、スロット１１２の長さを約８．７ｍｍ、スロット１１２の個数を３、スロット１１２の幅を０．７５ｍｍ、側面部１１の直径を１２ｍｍ、高さを５ｍｍとしたときの出力を実測した結果を、図１７に示す。実測結果から、水平面内３６０度の方向において無指向性を有するスロットアンテナを得られることが判る。尚、図１７及び図１８において、「０」は天頂方向を示し、「９０」及び「２７０」は水平方向を示し、「１８０」は真下の方向を示す。
【００４１】
尚、実施例５に対して、実施例２〜実施例４にて説明したスロットアンテナの構造（適切な組合せを含む）を適用することができる。また、場合によっては、底面部１３を省略することができるし、側面部１１の上端を上面板１５によって閉鎖してもよい。
【００４２】
（実施例６）
実施例６も実施例１の変形である。実施例６にあっても、側面部１１の上端は上面板１１５によって閉鎖されている。そして、実施例１と異なり、上面板１１５の模式的な平面図を図８に示すように、上面板１１５には、複数の第２のスロット１１６が形成されている。第２のスロット１１６は、略１／２λの長さを有する。
【００４３】
θ＝９０度とし、側面部１１の形状を円筒形とし、射出する電波の周波数を５．２ＧＨｚ（λ＝約５７．７ｍｍ）、スロット１２の長さを２８．８５ｍｍ、スロット１２の個数を２、スロット１２の幅を２ｍｍ、側面部１１の直径を２０ｍｍ、高さを１３ｍｍ、第２のスロット１１６の長さを２８．８５ｍｍ、第２のスロット１１６の幅を２ｍｍ、第２のスロット１１６の個数を２としたときの出力を実測した結果を、図１８に示す。実測結果から、水平面内３６０度の方向において無指向性を有し、天頂方向に指向性を有するスロットアンテナを得られることが判る。
【００４４】
尚、実施例６に対して、実施例２〜実施例５にて説明したスロットアンテナの構造（適切な組合せを含む）を適用することができる。また、場合によっては、底面部１３を省略することができる。
【００４５】
（実施例７）
実施例７は、本発明の第２の態様に係るスロットアンテナに関する。実施例７のスロットアンテナを分解したときの各構成要素の模式的な断面図を図９に示し、実施例７のスロットアンテナの模式的な断面図を図１０に示す。
【００４６】
実施例７のスロットアンテナは、
（Ａ）平坦な頂面２１Ａを有するシェル部２１、及び、シェル部２１の内部に絶縁体２３を介して固定され、シェル部２１の頂面２１Ａの中心部から突出した中心コンタクト部２２を有するコネクター（具体的には、ＳＭＡコネクター）２０、及び、
（Ｂ）シェル部２１の頂面２１Ａに固定され、シェル部２１の頂面２１Ａから上方に延び、中心コンタクト部２２を取り囲む中空環状のアンテナ本体部５１、から成る。
【００４７】
そして、アンテナ本体部５１には、同一長さを有する複数のスロット５２が形成されている。尚、アンテナ本体部５０は、真鍮を周知の各種の機械加工を行うことで作製されている。中心コンタクト部を通る軸線（Ｌ）は、アンテナ本体部５１の中心部を延びている。アンテナ本体部５１は、その底部５３においてＳＭＡコネクター２０を構成するシェル部２１の頂面２１Ａに、例えば、ハンダ付けにて固定されている。
【００４８】
実施例７においては、中心コンタクト部２２を通る軸線（Ｌ）に対して垂直な仮想平面でアンテナ本体部５１を任意の位置で切断したときのアンテナ本体部５１の断面形状は、同一形状の円形である。即ち、アンテナ本体部５１の形状は円筒形である。また、軸線（Ｌ）に対するスロット５２の傾斜角をθとしたとき、θ＝９０度である。尚、スロット５２は、略１／２λの長さを有する。具体的には、射出する電波の周波数を５．２ＧＨｚ（λ＝約５７．７ｍｍ）としたので、スロット５２の長さは２８．８５ｍｍである。また、スロット５２の幅を２ｍｍとし、スロット５２の個数を２とした。アンテナ本体部５１の直径を２０ｍｍ、高さを１３ｍｍとした。実施例７にあっては、アンテナ本体部５１の上端は上面板５５によって閉鎖されている。尚、上面板５５は、必ずしも設けなくともよい。
【００４９】
尚、実施例７のスロットアンテナに対して、実施例４にて説明したスロットの構成を適用することができる。即ち、中心コンタクト部を通る軸線に対するスロットの傾斜角をθとしたとき、θ＝０度である構成、０度＜θ＜９０度である構成を適用することができる。
【００５０】
また、図１１に模式的な断面図を示すように、実施例５にて説明した構成（即ち、アンテナ本体部５１によって囲まれた空間に誘電体部材５８を配する構成。更には、誘電体部材５８を構成する誘電体材料の比誘電率をεとしたとき、スロット５２は、略（１／２λ）×（１＋ε）−１／２の長さを有する構成）を適用することもできる。
【００５１】
更には、実施例６にて説明した構成（アンテナ本体部５１の上端は上面板５５によって閉鎖されており、上面板５５には、複数の第２のスロットが形成されている構成）を適用することもできる。
【００５２】
また、実施例４にて説明したスロットの構成、実施例５にて説明した構成、実施例６にて説明した構成を、実施例７に対して適宜組み合わせることもできる。
【００５３】
（実施例８）
実施例８は、本発明の第３の態様に係るスロットアンテナに関する。実施例８のスロットアンテナの模式的な断面図を図１２の（Ａ）に示し、このスロットアンテナをプリント配線板に取り付けた模式的な断面図を、図１２の（Ｂ）あるいは図１３の（Ａ）、（Ｂ）に示す。
【００５４】
実施例８のスロットアンテナは、
（Ａ）底面６３と、頂面６５と、底面６３の周縁から頂面６５の周縁へと延びる側面６１を有し、誘電体材料６８から構成されたアンテナ本体部６０、及び、（Ｂ）アンテナ本体部６０の少なくとも側面に形成された導電体層６９、
から成る。
【００５５】
そして、アンテナ本体部６０の側面６１に形成された導電体層６９の部分には、同一長さを有する複数のスロット６２が形成され、アンテナ本体部６０の底面６３の略中心を通り、底面６３に垂直な軸線（Ｌ）上に、スロット結合部が設けられている。具体的には、実施例８にあっては、アンテナ本体部６０の底面６３から軸線（Ｌ）上を延びる孔部６４がアンテナ本体部６０に形成されており、スロット結合部は、この孔部６４内を上方に延び、アンテナ本体部６０の側面６１に形成された導電体層６９の部分とは離間した第２の導電体層６９Ａから成る。尚、孔部６４内に形成された第２の導電体層６９Ａと、底面６３に形成された導電体層６９の部分とは、環状の溝部６６によって分離されている。これによって、第２の導電体層６９Ａは、アンテナ本体部６０の側面６１に形成された導電体層６９の部分から絶縁されている。また、頂面６５にも導電体層６９が形成されている。
【００５６】
アンテナ本体部６０は、Ａｌ２Ｏ３を焼結することによって作製されている。また、導電体層６９及び第２の導電体層６９Ａは、印刷法にて形成された銀ペースト層から成る。
【００５７】
実施例８においては、軸線（Ｌ）に対して垂直な仮想平面でアンテナ本体部６０を任意の位置で切断したときのアンテナ本体部６０の外形断面形状は、同一形状の円形である。即ち、アンテナ本体部６０の形状は円柱形である。また、軸線（Ｌ）に対するスロット６２の傾斜角をθとしたとき、θ＝９０度である。尚、誘電体材料６８の比誘電率をεとしたとき、スロット６２は、略（１／２λ）×（１＋ε）−１／２の長さを有する。具体的には、ε＝約１０、射出する電波の周波数を５．２ＧＨｚ（λ＝約５７．７ｍｍ）としたので、スロット６２の長さは約８．７ｍｍである。また、スロット６２の幅を０．７５ｍｍとし、スロット６２の個数を３とした。アンテナ本体部６０の直径を１２ｍｍ、高さを５ｍｍとした。導電体層６９及び第２の導電体層６９Ａの平均厚さを２０μｍとした。
【００５８】
実施例８のスロットアンテナにおいては、図１２の（Ｂ）あるいは図１３の（Ａ）に模式的な一部断面図を示すように、プリント配線板３０に回路を形成し、底面６３に形成された導電材料層６９の部分及び第２の導電材料層６９Ａの底面をプリント配線板３０に設けられた回路（ストリップ線路３３Ａあるいはパターニングされた銅箔３３）上に固定されている。
【００５９】
あるいは又、実施例８のスロットアンテナに対して、実施例２にて説明した構成を適用することができる。即ち、図１３の（Ｂ）に模式的な一部断面図を示すように、プリント配線板３０にピン３２を立て、底面６３をプリント配線板３０に固定することで、スロットアンテナをプリント配線板３０から構成されたアンテナ給電手段に取り付けることができる。尚、この場合には、孔部６４内に第２の導電体層６９Ａを形成してもよいし、形成しなくてもよい。
【００６０】
あるいは又、実施例８のスロットアンテナに対して、実施例３にて説明した構成を適用することができる。即ち、アンテナ本体部の模式的な平面を図１４の（Ａ）に示し、導波管の模式的な斜視図を図１４の（Ｂ）に示すように、アンテナ本体部６０の底面６３に取り付けられた導波管４０を更に有し、スロット結合部は、軸線（Ｌ）上に位置する導波管４０の部分に設けられた結合開口部４１から成る構成を適用することもできる。尚、アンテナ本体部６０の底面６３に形成された導電体層６９の一部にも、結合開口部６７が形成されている。アンテナ本体部６０には、孔部６４及び第２の導電材料層６９Ａは設けられていない。そして、軸線（Ｌ）上に位置する底面６３の部分の導電体層６９に設けられた結合開口部６７と、導波管４０の部分に設けられた結合開口部４１との位置合わせをして、底面６３と導波管４０とを、例えばハンダ付けすることで、アンテナ本体部６０を導波管４０に取り付けることができる。導波管４０は、適切な方法でアンテナ給電手段に取り付ければよい。図１４の（Ａ）において、導電体層６９を明示するために、導電体層６９に斜線を付した。
【００６１】
底面６３の部分に結合開口部を設けず、軸線（Ｌ）上に位置する底面の部分の導電体層に、導波管の部分に設けられた結合開口部に対向して、導波管の部分に設けられた結合開口部よりも大きな孔部を設けてもよい。
【００６２】
また、実施例８のスロットアンテナに対して、実施例４にて説明したスロットの構成を適用することができる。即ち、軸線（Ｌ）を通る軸線に対するスロットの傾斜角をθとしたとき、θ＝０度である構成、０度＜θ＜９０度である構成を適用することができる。
【００６３】
更には、実施例５と同様に、アンテナ本体部の模式的な平面を図１５に示すように、アンテナ本体部６０の頂面１６５にも導電体層１６９が形成され、頂面１６５に形成された導電体層１６９の部分には複数の第２のスロット１６６が形成されている構成とすることもできる。尚、誘電体材料６８の比誘電率をεとしたとき、第２のスロット１６６は、略（１／２λ）×（１＋ε）−１／２の長さを有する。図１５において、導電体層１６９を明示するために、導電体層１６９に斜線を付した。
【００６４】
また、以上に説明した各種構成を適宜組み合わせることもできる。
【００６５】
（実施例９）
実施例９は、実施例８の変形である。実施例９においては、模式的な断面図を図１６の（Ａ）に示すように、アンテナ本体部６０の底面６３から軸線Ｌ上を延びる孔部６４がアンテナ本体部６０に形成されており、スロット結合部は、この孔部６４内を延び（より具体的には、この孔部６４内に挿入され）るピン６６からなる、ピン６６は、アンテナ本体部６０の底面に形成された導電体層６９の部分とは離間されている。
【００６６】
実施例９のスロットアンテナにおいては、図１６の（Ｂ）に示すように、プリント配線板３０に回路を形成し、ピン６６をプリント配線板３０の係る回路に固定することで、スロットアンテナはプリント配線板３０から構成されたアンテナ給電手段に取り付けられている。具体的には、ピン６６は、ハンダリフロー法にてプリント配線板３０に設けられ、パターニングされた銅箔（回路）３３上に固定されている。
【００６７】
以上、本発明を、好ましい実施例に基づき説明したが、本発明はこれらに限定されるものではない。実施例にて説明したアンテナ本体部やコネクター等の形状、構造、構成材料、大きさや寸法等は例示であり、適宜変更することができる。実施例においては、アンテナ本体部の形状を専ら円筒形あるいは円柱形として説明したが、アンテナ本体部の形状はこれに限定するものではない。即ち、アンテナ本体部の形状を、正多角筒形、正多角柱形、円錐形、角錐形、球の一部とすることもできる。
【００６８】
【発明の効果】
本発明により、水平面内３６０度の方向において無指向性を有する、利得の高いスロットアンテナを達成することができるし、所望に応じて、併せて、垂直方向において指向性を有する簡素な構造のスロットアンテナを、安価に製造することができる。しかも、スロットアンテナの一層の小型化を図ることができる。
【図面の簡単な説明】
【図１】図１の（Ａ）及び（Ｂ）は、それぞれ、実施例１のスロットアンテナの模式的な側面図、及び、模式的な底面図である。
【図２】図２は、実施例１におけるアンテナ本体部及びピンを構成するＳＭＡコネクターの模式的な断面図である。
【図３】図３は、実施例１におけるアンテナ本体部をＳＭＡコネクターに取り付け、スロットアンテナを完成させたときの模式的な断面図である。
【図４】図４は、実施例２におけるスロットアンテナ及びプリント配線板の模式的な一部断面図である。
【図５】図５の（Ａ）は、実施例３におけるアンテナ本体部の模式的な底面図であり、図５の（Ｂ）は、導波管の模式的な斜視図である。
【図６】図６の（Ａ）及び（Ｂ）は、それぞれ、θ＝９０度、θ＝０度としたときのアンテナ本体部の模式的な側面図である。
【図７】図７は、実施例５におけるアンテナ本体部をＳＭＡコネクターに取り付け、スロットアンテナを完成させたときの模式的な断面図である。
【図８】図８は、実施例６のスロットアンテナを構成する上面板の模式的な平面図である。
【図９】図９は、実施例７のスロットアンテナを分解したときの各構成要素の模式的な断面図である。
【図１０】図１０は、実施例７のスロットアンテナの模式的な断面図である。
【図１１】図１１は、実施例７のスロットアンテナの変形例の模式的な断面図である。
【図１２】図１２の（Ａ）及び（Ｂ）は、それぞれ、実施例８のスロットアンテナの模式的な断面図、及び、実施例８ののスロットアンテナをプリント配線板に取り付けた模式的な断面図である。
【図１３】図１３の（Ａ）及び（Ｂ）は、それぞれ、実施例８ののスロットアンテナをプリント配線板に取り付けた模式的な断面図である。
【図１４】図１４の（Ａ）は、実施例８におけるアンテナ本体部の別の変形例の模式的な底面図であり、図１４の（Ｂ）は、導波管の模式的な斜視図である。
【図１５】図１５は、実施例８におけるアンテナ本体部の更に別の変形例の模式的な平面図である。
【図１６】図１６（Ａ）及び（Ｂ）は、それぞれ、実施例９のスロットアンテナの模式的な断面図、及び、実施例９のスロットアンテナをプリント配線板に取り付けた模式的な断面図である。
【図１７】図１７は、実施例５のスロットアンテナの出力をシミュレーションした結果を示すグラフである。
【図１８】図１８は、実施例６のスロットアンテナの出力をシミュレーションした結果を示すグラフである。
【符号の説明】
１０，１０Ａ，１０Ｂ，１０Ｃ・・・アンテナ本体部、１１，１１Ａ，１１Ｂ・・・側面部、１２，１２Ａ，１２Ａ’，１２Ｂ・・・スロット、１３・・・底面部、１４・・・貫通孔、１５，１１５，５５・・・上面板、１１６・・・第２のスロット、１７，４１・・・結合開口部、１８，５８・・・誘電体部材、２０・・・コネクター、２１・・・シェル部、２１Ａ・・・シェル部の頂面、２２・・・ピン（中心コンタクト部）、２３・・・絶縁体、３０・・・プリント配線板、３１・・・基材、３２・・・ピン、３３・・・銅箔、４０・・・導波管、５１・・・アンテナ本体部、５２・・・スロット、５３・・・底部、６０・・・アンテナ本体部、６１・・・側面、６２・・・スロット、６３・・・底面、６４・・・孔部、６５，１６５・・・頂面、６６・・・ピン、６７・・・結合開口部、６８・・・誘電体材料、６９，６９Ａ・・・導電体層、１６６・・・第２のスロット
【図１】
2004140448.tif 000003
【図２】
2004140448.tif 000004
【図３】
2004140448.tif 000005
【図４】
2004140448.tif 000006
【図５】
2004140448.tif 000007
【図６】
2004140448.tif 000008
【図７】
2004140448.tif 000009
【図８】
2004140448.tif 000010
【図９】
2004140448.tif 000011
【図１０】
2004140448.tif 000012
【図１１】
2004140448.tif 000013
【図１２】
2004140448.tif 000014
【図１３】
2004140448.tif 000015
【図１４】
2004140448.tif 000016
【図１５】
2004140448.tif 000017
【図１６】
2004140448.tif 000018
【図１７】
2004140448.tif 000019
【図１８】
2004140448.tif 000020